(57)【要約】【課題】コストをかけることなく、簡単にマンホールの蓋とフランジとの間のシール性を高められるようにする。【解決手段】環状中芯体１をフッ素樹脂製の外皮２で包み、マンホール５３のフランジ５５と蓋５４との間に挟み込んで、蓋５４の周縁部とフランジ５５とをクランプ５６で締め付けることにより、マンホール５３のシール性を確保するマンホール用ガスケットＧにおいて、環状中芯体１の上面及び下面に、それぞれ径方向にずらして周方向の溝部３を形成し、各溝部３にそれぞれ弾性を有する柔軟な環状シール部材４を嵌める。クランプ５６での締め付けに伴い、下方の環状シール部材４が外皮２を介してフランジ５５側に、上方の環状シール部材４が外皮２を介して蓋５４側にそれぞれ押し付けられるようにする。【選択図】図２
2014081022.tif 000002
【特許請求の範囲】
【請求項１】
環状中芯体(1)をフッ素樹脂製の外皮(2)で包み、マンホール(53)のフランジ(55)と蓋(54)との間に挟み込んで、蓋(54)の周縁部とフランジ(55)とをクランプ(56)で締め付けることにより、マンホール(53)のシール性を確保するマンホール用ガスケット(G)において、前記環状中芯体(1)の上面及び下面に、それぞれ径方向にずらして周方向の溝部(3)を形成し、各溝部(3)にそれぞれ弾性を有する柔軟な環状シール部材(4)を嵌め、クランプ(56)での締め付けに伴い、各環状シール部材(4)が上下方向に潰れるように弾性変形しつつ、下方の環状シール部材(4)が外皮(2)を介してフランジ(55)側に、上方の環状シール部材(4)が外皮(2)を介して蓋(54)側にそれぞれ押し付けられるようにしたことを特徴とするマンホール用ガスケット。
【発明の詳細な説明】
【技術分野】
【０００１】
この発明は、化学工場に設置された容器等のマンホールのシールに使用されるガスケットに関するものである。
【背景技術】
【０００２】
高度な耐食性と製品の高純度が要求される医薬・化学工業の分野では、図３に示すように、種々の処理を行う容器５１として、内面をガラス層５２で覆ったものが使用されている。ガラス層５２は、母材である金属の表面にガラスの施釉を行った後、焼成を行うグラスライニング加工により形成される。
【０００３】
このような容器５１においては、被処理物質の投入や内部洗浄を行うため、その上部にマンホール５３が設けられ、マンホール５３は、開閉可能な蓋５４を備えている。
【０００４】
蓋５４は、図４及び図５に示すように、容器５１に蝶番部５４ａを介して回動自在に連結され、閉止状態では、マンホール５３のフランジ５５に支持される。蓋５４には、覗き窓５４ｂと把手５４ｃとが設けられている。蓋５４とフランジ５５との間には、ガスケットＧが挟み込まれ、蓋５４の周縁部とフランジ５５とを複数のクランプ５６で締め付けることにより、マンホール５３のシール性が確保される。
【０００５】
ところで、グラスライニング加工は、被処理物質が接触する可能性のあるフランジ５５の表面及び蓋５４の裏面にも施されるが、ガラス層５２を均一の厚さに形成することは困難であり、ガラス層５２の表面は波打つようにうねった状態となっている。
【０００６】
このような状態でもシール性を確保するため、一般的に、ガラス層の薄い部分にガスケットペーストを塗布したり、繊維質のフィルムを挟み込んだりして、フランジとガスケットの隙間を埋める調整作業が行われているが、この調整作業には非常に手間がかかる。
【０００７】
また、この調整作業の負荷を軽減するため、下記特許文献１では、ゴムや繊維から成形した平板の環状中芯体を、フッ素樹脂製の外皮で包み、外皮の上下表面に、フッ素樹脂多孔質体シートをスポット溶接等で被着して、フッ素樹脂多孔質体シートをフランジのガラス層に密着させるようにしたガスケットが提案されている。
【０００８】
そのほか、下記特許文献２では、ガスケットと蓋との間に介在する環状の介装体を、取付具及び押えリングを用いてフランジ側に固定し、介装体に形成した溝部にＯリングを嵌め、クランプによる締め付けに伴い、Ｏリングを蓋の裏面に密着させるようにしたマンホール構造が提案されている。
【先行技術文献】
【特許文献】
【０００９】
【特許文献１】特開２００３−１０６４５６号公報
【特許文献２】特開２００６−２０６１０７号公報
【発明の概要】
【発明が解決しようとする課題】
【００１０】
しかしながら、特許文献１に記載のガスケットでは、製造に際し、フッ素樹脂多孔質体シートの成形や、環状中芯体を包む外皮とフッ素樹脂多孔質体シートとの溶接に手間やコストがかかるという問題がある。
【００１１】
また、特許文献２に記載のマンホール構造では、介装体やその取付具及び押えリングの製作、フランジへの介装具の固定等に手間やコストがかかるという問題がある。
【００１２】
そこで、この発明は、コストをかけることなく、簡単にマンホールの蓋とフランジとの間のシール性を高められるようにすることを課題とする。
【課題を解決するための手段】
【００１３】
上記課題を解決するため、この発明は、環状中芯体をフッ素樹脂製の外皮で包み、マンホールのフランジと蓋との間に挟み込んで、蓋の周縁部とフランジとをクランプで締め付けることにより、マンホールのシール性を確保するマンホール用ガスケットにおいて、前記環状中芯体の上面及び下面に、それぞれ径方向にずらして周方向の溝部を形成し、各溝部にそれぞれ弾性を有する柔軟な環状シール部材を嵌め、クランプでの締め付けに伴い、各環状シール部材が上下方向に潰れるように弾性変形しつつ、下方の環状シール部材が外皮を介してフランジ側に、上方の環状シール部材が外皮を介して蓋側にそれぞれ押し付けられるようにしたのである。
【発明の効果】
【００１４】
この発明に係るガスケットを使用すると、各環状シール部材をそれぞれフランジ側及び蓋側に確実に密着させることができ、環状中芯体をあまり厚くする必要もない。
【００１５】
そして、マンホールのフランジの表面及び蓋の裏面に施されたガラス層が波打つようにうねった状態となっていても、ガスケットペーストを塗布したり、フィルムを挟み込んだりすることなく、また、特殊な材料や部品を製作することなく、簡単にマンホールの蓋とフランジとの間のシール性を高めることができる。
【図面の簡単な説明】
【００１６】
【図１】この発明に係るガスケットの要部断面を示す部分斜視図
【図２】同上の使用状態を示すマンホールのシール部分断面図
【図３】ガスケットを使用する容器の一部切欠立面図
【図４】同上のマンホールの平面図
【図５】同上のマンホールの部分縦断面図
【発明を実施するための形態】
【００１７】
以下、この発明の実施形態を添付図面に基づいて説明する。
【００１８】
図１に示すガスケットＧは、図３乃至図５に示すような容器のマンホールにおいて、上述した従来のものに替えて使用されるものである。
【００１９】
このガスケットＧの環状中芯体１は、耐熱性、耐薬品性に優れたテフロン（登録商標）等のフッ素樹脂を材料とし、比較的偏平な板状に成形した若干の弾性を有する硬質のものであり、フッ素樹脂製のシートから成る外皮２で包まれている。
【００２０】
そして、環状中芯体１の上面及び下面には、それぞれ径方向にずらして周方向の溝部３が形成され、各溝部３にそれぞれゴム製Ｏリング等の弾性を有する柔軟な環状シール部材４が幅方向に隙間をもって嵌められている。環状シール部材４は、溝部３から上下方向に突出し、外皮２の裏面に接している。
【００２１】
ここで、環状中芯体１を外皮２により外周端面まで完全に覆う必要はなく、外皮２は、図示のように、２枚のシートを内周部で貼り合わせたものとして、環状中芯体１の上下面及び内周面が外皮２で覆われるようにすればよい。
【００２２】
また、環状中芯体１及び外皮２の素材は、機械的特性や化学的特性を考慮して適宜選択すればよく、環状中芯体１の製造に際しては、ゴム、有機繊維、無機繊維等、種々の材料を混合したり積層したりして、所定の形状に成形すればよい。
【００２３】
また、環状シール部材４としては、断面形状が丸型のＯリングのほか、断面形状が角型のものや、Ｕ字状、Ｖ字状等、種々のものを用いることができる。
【００２４】
このようなガスケットＧを使用して、図２に示すように、マンホール５３をシールするには、まず、蓋５４を開けた状態で、表面にガラス層５２を有するフランジ５５の上面側にガスケットＧを載せる。
【００２５】
次に、蓋５４を閉じて、ガスケットＧの上に蓋５４を載せ、ガスケットＧの下側の外皮２がフランジ５５の表面のガラス層５２に接し、ガスケットＧの上側の外皮２が蓋５４の裏面周縁部のガラス層５２に接するようにする。
【００２６】
そして、クランプ５６により蓋５４の周縁部とフランジ５５とを挟み、クランプ５６のボルト５６ａにねじ込んだナット５６ｂを締め付ける。
【００２７】
このクランプ５６での締め付けに伴い、各環状シール部材４が上下方向に潰れるように弾性変形しつつ、下方の環状シール部材４が外皮２を介してフランジ５５側に、上方の環状シール部材４が外皮２を介して蓋５４側にそれぞれ押し付けられる。
【００２８】
このように、上記ガスケットＧでは、各環状シール部材４をそれぞれフランジ５５側及び蓋５４側に確実に密着させることができ、環状中芯体１をあまり厚くする必要もない。
【００２９】
そして、マンホール５３のフランジ５５の表面及び蓋５４の裏面に施されたガラス層５２が波打つようにうねった状態となっていても、ガスケットペーストを塗布したり、フィルムを挟み込んだりすることなく、また、特殊な材料や部品を製作することなく、簡単にマンホール５３の蓋５４とフランジ５５との間のシール性を高めることができる。
【００３０】
なお、上記実施形態では、環状中芯体１の上面及び下面にそれぞれ１本のみ溝部３を設け、その溝３に環状シール部材４を嵌めたものを例示したが、環状中芯体１の上面及び下面に、それぞれ複数本の溝部３を設け、これらの溝部３に環状シール部材４を嵌めるようにしてもよい。
【符号の説明】
【００３１】
Ｇ  ガスケット
１  環状中芯体
２  外皮
３  溝部
４  環状シール部材
５１  容器
５２  ガラス層
５３  マンホール
５４  蓋
５４ａ  蝶番部
５４ｂ  覗き窓
５４ｃ  把手
５５  フランジ
５６  クランプ
５６ａ  ボルト
５６ｂ  ナット
【図１】
2014081022.tif 000003
【図２】
2014081022.tif 000004
【図３】
2014081022.tif 000005
【図４】
2014081022.tif 000006
【図５】
2014081022.tif 000007